(57)【要約】      （修正有）【課題】記録媒体が着脱可能に装着される装着部を含めた機器本体の確実なシール性能を確保しつつ、簡単な構造で蓋部材の安定した開閉動作を実現する。【解決手段】貫通孔は、曲率半径の異なる複数の円弧部を内周部に有し、回動軸２４０と貫通孔との間には、回動軸２４０が貫通孔に対して周方向全周で接触してシール部を形成する第１領域と、回動軸２４０が貫通孔に対して部分的に接触して蓋ユニット２１０が開き方向に回動する際に制動力を作用させるとともに、蓋ユニット２１０の開き位置で回動軸２４０が貫通孔に対して開き方向に接触して、蓋ユニット２１０を開き方向に付勢する付勢バネ２５０の付勢力を受け止める第２領域が軸方向に互いに離間して設けられる。【選択図】図４
2017097014.tif 000002
【特許請求の範囲】
【請求項１】
機器本体に記録媒体が着脱可能に装着される装着部が設けられる電子機器であって、
前記機器本体の保持部に回動可能に保持される回動軸を有し、前記回動軸を介して前記装着部を開閉する方向に回動して、閉じ位置で前記装着部との間をシールした状態で前記装着部を覆う蓋部材と、
前記蓋部材を開く方向に付勢する付勢バネと、
前記蓋部材を閉じ位置で保持するロック機構と、
前記保持部と前記回動軸の外周部と間に設けられ、前記回動軸が貫通する貫通孔が形成された弾性シール部材と、を備え、
前記貫通孔は、曲率半径の異なる複数の円弧部を内周部に有し、
前記回動軸と前記貫通孔との間には、前記回動軸が前記貫通孔に対して周方向全周で回動可能に接触してシール部を形成する第１領域と、前記回動軸が前記貫通孔に対して部分的に接触して前記蓋部材が開き方向に回動する際に制動力を作用させるとともに、前記蓋部材の開き位置で前記回動軸が前記貫通孔に対して開き方向に接触して前記付勢バネの付勢力を受け止める第２領域が軸方向に互いに離間して設けられていることを特徴とする電子機器。
【請求項２】
前記第２領域では、前記蓋部材の開き位置で前記回動軸が前記貫通孔に対して開き方向に面接触して前記付勢バネの付勢力を受け止めることを特徴とする請求項１に記載の電子機器。
【請求項３】
前記第２領域では、前記回動軸が前記貫通孔に対して部分的に接触する面積は、前記蓋部材が閉じ位置から開き位置に回動するにつれて次第に増大することを特徴とする請求項１又は２に記載の電子機器。
【請求項４】
前記機器本体には、前記保持部に回動可能に支持される前記回動軸を径方向に押圧して支持する押圧手段が設けられていることを特徴とする請求項１乃至３のいずれか一項に記載の電子機器。
【発明の詳細な説明】
【技術分野】
【０００１】
本発明は、メモリカード等の記録媒体を着脱可能に装着するための装着部を有する例えばデジタルカメラ等の撮像装置を含む電子機器に関する。
【背景技術】
【０００２】
デジタルカメラ等の電子機器では、機器本体に形成された凹部にメモリカード等の記録媒体を着脱可能に装着するためのスロット部が設けられたものがある。スロット部は、蓋部材により開閉可能に覆われるが、蓋部材の閉じ状態では、凹部内に雨滴等が浸入するのを確実に防止する必要がある。
【０００３】
従来、例えば、蓋部材の外周部にゴム等の弾性部を設け、蓋部材を閉じた際に弾性部が押圧されることによりスロット部が設けられた凹部内に雨滴等が浸入するのを防止する技術が提案されている（特許文献１）。また、蓋部材にメモリカードのスロット部を設け、蓋部材を開閉方向に回動可能に支持する一対のヒンジ部がスポンジ等の発砲材で機器本体の外側に押圧されることにより凹部内に雨滴等が浸入するのを防止する技術が提案されている（特許文献２）。
【先行技術文献】
【特許文献】
【０００４】
【特許文献１】特開２０１５−５３５２３号公報
【特許文献２】特開平８−６２６９２号公報
【発明の概要】
【発明が解決しようとする課題】
【０００５】
しかし、上記特許文献１では、スロット部へ雨滴等が浸入するのを防止することは可能であるが、蓋部材を開閉方向に回動可能に支持する回動軸の周りのシールが困難なため、機器本体側に雨滴等が浸入するのを確実に防止することは難しい。一方、上記特許文献２では、メモリカードのスロット部を蓋部材に設けているため、蓋部材の重量増加や大型化を招く。また、発泡材によりヒンジ部を片側から機器本体の外側に押圧するため、蓋部材の開閉動作の安定性が悪く、更に、単純に蓋部材を開くだけでは、全開した位置で蓋部材がバウンドする等の問題がある。
【０００６】
そこで、本発明は、記録媒体を着脱可能に装着するための装着部を含めた機器本体の確実なシール性能を確保しつつ、簡単な構造で蓋部材の安定した開閉動作を実現する電子機器を提供することを目的とする。
【課題を解決するための手段】
【０００７】
上記目的を達成するために、本発明は、機器本体に記録媒体が着脱可能に装着される装着部が設けられる電子機器であって、前記機器本体の保持部に回動可能に保持される回動軸を有し、前記回動軸を介して前記装着部を開閉する方向に回動して、閉じ位置で前記装着部との間をシールした状態で前記装着部を覆う蓋部材と、前記蓋部材を開く方向に付勢する付勢バネと、前記蓋部材を閉じ位置で保持するロック機構と、前記保持部と前記回動軸の外周部と間に設けられ、前記回動軸が貫通する貫通孔が形成された弾性シール部材と、を備え、前記貫通孔は、曲率半径の異なる複数の円弧部を内周部に有し、前記回動軸と前記貫通孔との間には、前記回動軸が前記貫通孔に対して周方向全周で回動可能に接触してシール部を形成する第１領域と、前記回動軸が前記貫通孔に対して部分的に接触して前記蓋部材が開き方向に回動する際に制動力を作用させるとともに、前記蓋部材の開き位置で前記回動軸が前記貫通孔に対して開き方向に接触して前記付勢バネの付勢力を受け止める第２領域が軸方向に互いに離間して設けられていることを特徴とする。
【発明の効果】
【０００８】
本発明によれば、記録媒体を着脱可能に装着するための装着部を含めた機器本体の確実なシール性能を確保しつつ、簡単な構造で蓋部材の安定した開閉動作を実現する電子機器を提供することができる。
【図面の簡単な説明】
【０００９】
【図１】（ａ）は本発明の電子機器の実施形態の一例であるデジタルビデオカメラの斜視図、（ｂ）は（ａ）に示すデジタルビデオカメラの蓋ユニットを開いた状態を示す斜視図である。
【図２】（ａ）は記録ユニットの正面拡大図、（ｂ）は（ａ）に示す記録ユニットを開いた状態を示す図である。
【図３】記録ユニットの分解斜視図である。
【図４】蓋ユニットが閉じた状態の回動軸の位置での要部断面図である。
【図５】回動軸及び弾性シール部材の斜視図である。
【図６】蓋ユニットが閉じた状態において、回動軸の固定軸部に押圧片が当接している位置での記録ユニットの要部断面図である。
【図７】蓋ユニットが閉じた状態において、回動部の固定軸部と弾性シール部材の貫通孔とが接する位置での記録ユニットの要部断面図である。
【図８】蓋ユニットが閉じた状態において、回動部の円弧軸部と弾性シール部材の貫通孔とが接する位置での記録ユニットの要部断面図である。
【図９】図８の一部を拡大した図である。
【図１０】図８の状態で蓋ユニットを開方向に回動した場合の記録ユニットの要部断面図である。
【図１１】図１０の一部を拡大した図である。
【発明を実施するための形態】
【００１０】
以下、図面を参照して、本発明の実施形態の一例を説明する。
【００１１】
図１（ａ）は本発明の電子機器の実施形態の一例であるデジタルビデオカメラの斜視図、図１（ｂ）は図１（ａ）に示すデジタルビデオカメラの蓋ユニットを開いた状態を示す斜視図である。
【００１２】
図１（ａ）及び図１（ｂ）に示すように、本実施形態のデジタルビデオカメラ１００（以下、カメラ１００という。）は、カメラ本体１０１の正面側に、交換式のレンズユニット１１０が着脱可能に設けられている。カメラ本体１０１の背面側には、バッテリ１２０が着脱可能に設けられ、カメラ本体１０１の上面部には、ハンドル部１６０が設けられている。レンズユニット１１０は、カメラ本体１０１のレンズマウント１１１に装着され、着脱ノブ１１２を操作することで、カメラ本体１０１から取り外すことでできる。カメラ本体１０１は、本発明の機器本体の一例に相当する。
【００１３】
また、カメラ本体１０１のレンズユニット１１０側から見て左側の側面には、各種操作スイッチ群１３０、外部機器等と接続するための外部入出力部１５０、及び記録媒体の一例であるメモリカード４００を装着するための記録ユニット２００等が搭載されている。記録ユニット２００は、図１（ｂ）に示すように、撮影画像データ等が保存されるメモリカード４００が着脱可能に装着されるスロット部３３０を有する保持ユニット３００と、スロット部３３０を開閉可能に覆う蓋ユニット２１０とを備える。
【００１４】
なお、スロット部３３０は、本実施形態では、３箇所配置されており、スロット部３３０の数に応じて蓋ユニット２１０も３箇所設けられている。スロット部３３０は、本発明の装着部の一例に相当し、蓋ユニット２１０は、本発明の蓋部材の一例に相当する。
【００１５】
図２（ａ）は記録ユニット２００の正面拡大図、図２（ｂ）は図２（ａ）に示す記録ユニット２００を開いた状態を示す図である。図２（ａ）に示すように、蓋ユニット２１０の閉じ状態では、蓋ユニット２１０は、ロックノブ２２０によって保持ユニット３００側に保持されている。
【００１６】
ロックノブ２２０を開方向（矢印方向）にスライド操作すると、ロック機構を構成する不図示の爪部が保持ユニット３００に設けられた不図示の係合部から外れ、爪部の係合が解除される。これにより、蓋ユニット２１０が付勢バネ２５０（図３及び図４参照）の付勢力により回動軸２４０を中心２３０（図３参照）として開方向に回動し、図２（ｂ）に示す開き状態となる。
【００１７】
この状態では、メモリカード４００は、スロット部３３０に保持された状態で外部に露出しており、着脱ノブ３３１を操作することによりスロット部３３０から押し出されて取り出すことができる。また、蓋ユニット２１０の外周縁部には、弾性シール部材２７０がスロット部３３０の外側に位置して周方向全周に設けられ、保持ユニット３００には、弾性シール部材２７０に対応するシール溝部３４０が設けられている。
【００１８】
蓋ユニット２１０が閉じられた状態では、弾性シール部材２７０は、シール溝部３４０に入り込んで押し付けられ密着状態となる。これにより、蓋ユニット２１０と保持ユニット３００との間が確実にシールされ、スロット部３３０、及びスロット部３３０に装着されたメモリカード４００を水滴等から保護することができる。
【００１９】
図３は、記録ユニット２００の分解斜視図である。図４は、蓋ユニット２１０が閉じた状態の回動軸２４０の位置での要部断面図である。
【００２０】
図３及び図４に示すように、蓋ユニット２１０の両側に形成された固定部２３１には、それぞれ回動軸２４０が一部を軸方向外側に突出させた状態で嵌合固定されている。回動軸２４０の固定部２３１からの突出部分は、保持ユニット３００側に形成された保持部３１０に回動可能に支持されている。
【００２１】
保持部３１０に対する回動軸２４０の回動を可能にするためには、保持部３１０の支持孔と回動軸２４０との間に隙間が必要となるが、本実施形態では、この隙間をなくすため、弾性シール部材３５０が保持部３１０内で回動軸２４０の外周部に嵌め込まれている。これにより、保持部３１０内への水滴等の浸入を防止している。
【００２２】
また、回動軸２４０の軸ブレを抑えるため、保持部３１０に加えて、保持部３１０内で回動軸２４０を径方向に押圧する押圧片３６１（図３及び図６）により回動軸２４０を保持している。なお、蓋ユニット２１０を開き方向に付勢する付勢バネ２５０として、本実施形態では、一対の回動軸２４０のうち、一方の回動軸２４０に嵌め込まれたコイルバネを例示したが、これに限定されない。例えば、付勢バネ２５０は、板バネ等でもよく、また、一対の回動軸２４０のそれぞれに付勢バネを設けてもよい。
【００２３】
図５は、回動軸２４０及び弾性シール部材３５０の斜視図である。図５に示すように、回動軸２４０は、固定軸部２４１、固定軸部２４１より小径で、かつ断面円弧状に形成された円弧軸部２４２、並びに保持部３１０及び押圧片３６１により回動可能に保持される摺動軸部２４５と、を有する。固定軸部２４１は、前述した蓋ユニット２１０の固定部２３１に嵌合固定される。
【００２４】
円弧軸部２４２の外周部には、径方向外側に突出する突出部２４３が設けられ、突出部２４３の先端部には、平面部２４４が設けられている。回動軸２４０の固定軸部２４１側の端部には、蓋ユニット２１０の全開位置でそれ以上の開方向の回動を規制する規制部２４６が設けられている。
【００２５】
弾性シール部材３５０には、保持部３１０に当接する円弧状の当接部３５５が設けられている。また、弾性シール部材３５０には、回動軸２４０が貫通する貫通孔３５４が形成されている。貫通孔３５４の内周部には、第１円弧部３５１、第１円弧部３５１より曲率半径の小さい第２円弧部３５３、及び第１円弧部３５１と第２円弧部３５３とを接続する平面部３５２が形成されている。
【００２６】
第１円弧部３５１と第２円弧部３５３とは、径方向に対向し、かつ第１円弧部３５１の周方向の両端部は、第１円弧部３５１の曲率中心より第２円弧部３５３側に配置されている（図９参照）。そして、第１円弧部３５１の周方向の両端部と第２円弧部３５３の周方向の両端部とがそれぞれ同一長さの平面部３５２により接続されている。
【００２７】
ここで、本実施形態では、弾性シール部材３５０の貫通孔３５４には、回動軸２４０の固定軸部２４１が配置される第１領域と、突出部２４３を含む円弧軸部２４２が配置される第２領域とが軸方向に互いに離間して設けられている。
【００２８】
図６は、蓋ユニット２１０が閉じた状態において、回動軸２４０の固定軸部２４１に押圧片３６１が当接している位置での記録ユニット２００の要部断面図である。図７は、蓋ユニット２１０が閉じた状態において、回動軸２４０の固定軸部２４１と弾性シール部材３５０の貫通孔３５４とが接する位置での記録ユニット２００の要部断面図である。
【００２９】
図６に示すように、回動軸２４０は、保持部３１０に加えて、保持部３１０内で回動軸２４０を径方向に押圧する押圧片３６１の先端部により支えられているため、安定して蓋ユニット２１０を回動させることが可能になる。
【００３０】
また、図７に示すように、回動軸２４０の固定軸部２４１は、弾性シール部材３５０の貫通孔３５４の第１領域の内周部に対して全周隙間なく接触し、これにより、回動軸２４０と貫通孔３５４との間にシール部を形成している。ここで、回動軸２４０の固定軸部２４１の径は、弾性シール部材３５０の貫通孔３５４の曲率半径が異なる複数の円弧部のうち、曲率半径が最も大きい第１円弧部３５１の径以上となっている。このため、回動軸２４０から水滴等が浸水するのを防ぐことができる。
【００３１】
図８は、蓋ユニット２１０が閉じた状態において、回動軸２４０の円弧軸部２４２と弾性シール部材３５０の貫通孔３５４とが接する位置での記録ユニット２００の要部断面図である。図９は、図８の一部を拡大した図である。図１０は、図８の状態で蓋ユニット２１０が開いた場合の記録ユニット２００の要部断面図である。図１１は、図１０の一部を拡大した図である。
【００３２】
図８及び図９に示すように、蓋ユニット２１０が閉じられた状態では、蓋ユニット２１０側の弾性シール部材２７０が保持ユニット３００のシール溝部３４０に入り込んで押し付けられ、密着状態となる。これにより、蓋ユニット２１０と保持ユニット３００との間が確実にシールされ、スロット部３３０、及びスロット部３３０に装着されたメモリカード４００を水滴等から保護することができる。
【００３３】
また、弾性シール部材３５０の貫通孔３５４の第２領域に配置される回動軸２４０の円弧軸部２４２は、貫通孔３５４の第２円弧部３５３と部分的に接触し、加えて突出部２４３の先端の平面部２４４が第１円弧部３５１により押圧されている状態となっている。このため、蓋ユニット２１０が図８に示す閉じ位置から図１０に示す開き位置まで回動する際に、常にある程度の制動力が蓋ユニット２１０に作用する構成となっている。
【００３４】
本実施形態では、弾性シール部材３５０の貫通孔３５４の内周部に対する回動軸２４０の接触面積は、蓋ユニット２１０が図９に示す閉じ位置から後述する図１１に示す開き位置に回動するにつれて次第に増大する。このため、前述した制動力についても、徐々に増大するように構成されている。
【００３５】
図１０及び図１１に示すように、蓋ユニット２１０が開いた状態では、回動軸２４０の円弧軸部２４２から突出する突出部２４３の幅方向の両側部の平面部のうち、一側の平面部が弾性シール部材３５０の貫通孔３５４に設けられた平面部３５２と面接触している。これにより、付勢バネの開き方向の付勢力が平面部３５２により受け止められ、蓋ユニット２１０の開き方向の回動が抑えられている。
【００３６】
このように、本実施形態では、弾性シール部材３５０により、蓋ユニット２１０の回動動作に対して常に制動力が作用する状態になっていることに加えて、蓋ユニット２１０の開き方向の回動が抑えられる構造となっている。このため、蓋ユニット２１０が付勢バネ２５０によって勢いよく回動して開き位置でバウンドしてしまうことを防止することができる。
【００３７】
なお、突出部２４３の平面部と貫通孔３５４の平面部３５２とが接触する蓋ユニット２１０の開き位置については、蓋ユニット２１０の大きさや重量、付勢バネ２５０の付勢力等を考慮して前述したバウンドを防止できる範囲で適宜設定される。例えば、突出部２４３の平面部と貫通孔３５４の平面部３５２とが接触する蓋ユニット２１０の開き位置は、規制部２４６により蓋ユニット２１０の開き方向の回動が規制される全開位置と略同一位置でもよいし、全開位置より手前の開き位置であってもよい。
【００３８】
以上説明したように、本実施形態では、メモリカード４００を着脱可能に装着するためのスロット部３３０を含めたカメラ本体１０１の確実なシール性能を確保しつつ、簡単な構造で蓋ユニット２１０の安定した滑らかな開閉動作を実現することができる。
【００３９】
なお、本発明の構成は、上記実施形態に例示したものに限定されるものではなく、材質、形状、寸法、形態、数、配置箇所等は、本発明の要旨を逸脱しない範囲において適宜変更可能である。
【００４０】
例えば、上記実施形態では、蓋ユニット２１０の開き位置で回動軸２４０の突出部２４３の平面部が弾性シール部材３５０の貫通孔３５４の平面部３５２と面接触する場合を例示したが、蓋ユニット２１０の回動を抑える構成であれば、特に限定されない。例えば、突出部２４３の幅方向の一側と貫通孔３５４とが、点接触や点と面の接触、或いは円弧部の接触面積が蓋ユニット２１０の閉じ位置から開き位置にかけて徐々に増える構成等であってもよい。
【符号の説明】
【００４１】
１００  カメラ
１０１  カメラ本体
２００  記録ユニット
２１０  蓋ユニット
２４０  回動軸
２５０  付勢バネ
３１０  保持部
３３０  スロット部
３５０  弾性シール部材
３５４  貫通孔
４００  メモリカード
【図１】
2017097014.tif 000003
【図２】
2017097014.tif 000004
【図３】
2017097014.tif 000005
【図４】
2017097014.tif 000006
【図５】
2017097014.tif 000007
【図６】
2017097014.tif 000008
【図７】
2017097014.tif 000009
【図８】
2017097014.tif 000010
【図９】
2017097014.tif 000011
【図１０】
2017097014.tif 000012
【図１１】
2017097014.tif 000013